(57)【特許請求の範囲】
【請求項１】
正面視円形状、かつ、側面視における正面側の形状が略円弧形状の煙感知器であって、
正面視円形状であり、かつ、正面中央部分を、径内方向に向うに従って背面側に近付くように凹入して形成した凹入部、及び、前記凹入部と隣り合う正面外周部分を、径外方向に向うに従って背面側に近付くように傾斜させて形成した傾斜部を有するハウジングと、
前記凹入部から正面側に突出する状態で、前記ハウジングに支持された煙センサと、
正面視円形状であり、前記凹入部に対して離間した状態で対向するように前記ハウジングの正面側に支持されて、前記煙センサを正面側から覆い込むと共に、前記凹入部と協働して、前記煙センサに煙を誘導する煙流路を構成する前カバーと、を備え、
前記前カバーに、前記前カバーの外周部の全周に亘って、前記凹入部と前記傾斜部との境界よりも径外方向に突出する鍔部を備えると共に、
外周側から前記煙センサ側に向うに従って前記前カバーと前記凹入部とが離間し、前記煙流路が広がるように構成してある煙感知器。
【請求項２】
前記前カバーの正面中央部分は、正面側へ膨出する形状であり、かつ、前記前カバーのうち最も正面側に膨出した部分は、前記傾斜部を径内方向に延長して得られる面よりも、前記凹入部の側に位置する請求項１に記載の煙感知器。
【請求項３】
前記煙センサは、発光部と受光部とを備えた光電式のセンサであり、
前記前カバーを、前記前カバーまたは前記ハウジングに備えられた支持部によって前記ハウジングの正面側に支持し、
前記支持部を、正面視で、前記発光部の近傍または前記受光部の近傍に位置させてある請求項１または２に記載の煙感知器。
【発明の詳細な説明】
【技術分野】
【０００１】
本発明は、正面視円形状の煙感知器に関する。
【背景技術】
【０００２】
近年、煙感知器について、検知性能の向上だけでなく、外観デザインの向上にも開発力が注がれている。例えば、特許文献１に記載の煙感知器（熱煙複合式感知器）は、正面視円形状、かつ、側面視における正面側（取付面と反対側）の形状が略円弧形状、即ち、全体として、球面の一部を切り取ったような形状に形成してある。このような外観デザインであると、正面視四角形状のものや、正面視円形状かつ側面視ダルマ形状（煙センサ部分が正面側へ突出している形状）のようなものと比較して、全体としてスマートな印象を与える。
【先行技術文献】
【特許文献】
【０００３】
【特許文献１】特開２００１−２６６２６５号公報
【発明の概要】
【発明が解決しようとする課題】
【０００４】
ところで、煙にはある程度の流速があり、障害物に対してその形状に沿って流れる傾向がある。しかし、特許文献１に記載の煙感知器は、本体ケースの内部空間に、煙センサ（文献では、「ラビリンス体」、「防虫メッシュ」、及び、「光学素子部」）を収容し、本体ケースの外周回りに、周方向に沿って煙流入用の流入孔を開口してある。つまり、球面状に連続する面に流入口、周方向に流入口を設けた形状である。このため、特許文献１に記載のような煙感知器であると、煙が煙感知器の外形（球面形状）に沿って流れてしまい、煙流入口を通り過ぎ、煙が煙感知器内部に流入し難くなる虞がある。このような場合、煙の感知が遅れたり、煙の濃度を正確に感知できなかったりする可能性がある。
【０００５】
上記実情を鑑み、本発明は、外観デザインを向上しつつも、感知性能を向上させる煙感知器を提供することを目的とする。
【課題を解決するための手段】
【０００６】
本発明に係る煙感知器の第一特徴構成は、正面視円形状、かつ、側面視における正面側の形状が略円弧形状の煙感知器であって、正面視円形状であり、かつ、正面中央部分を、径内方向に向うに従って背面側に近付くように凹入して形成した凹入部、及び、前記凹入部と隣り合う正面外周部分を、径外方向に向うに従って背面側に近付くように傾斜させて形成した傾斜部を有するハウジングと、前記凹入部から正面側に突出する状態で、前記ハウジングに支持された煙センサと、正面視円形状であり、前記凹入部に対して離間した状態で対向するように前記ハウジングの正面側に支持されて、前記煙センサを正面側から覆い込むと共に、前記凹入部と協働して、前記煙センサに煙を誘導する煙流路を構成する前カバーと、を備え、前記前カバーに、前記前カバーの外周部の全周に亘って、前記凹入部と前記傾斜部との境界よりも径外方向に突出する鍔部を備えると共に、外周側から前記煙センサ側に向うに従って前記前カバーと前記凹入部とが離間し、前記煙流路が広がるように構成してある点にある。
【０００７】
本特徴構成のように、煙感知器を、正面視円形状、かつ、側面視における正面側の形状が略円弧形状に構成することで、スマートな印象を与えられると共に、ハウジングに設けた凹入部に煙センサを配設することで、煙センサのハウジングからの突出量を少なく抑えられ、薄型の煙感知器とすることができる。
【０００８】
また、本構成によると、ハウジングに傾斜部を備えると共に、前カバーに、前カバーの外周部の全周に亘って凹入部と傾斜部との境界よりも径外方向に突出する鍔部を備えている。したがって、例えば、取付面に沿って流れてきた煙は、傾斜部によってハウジングの形状に沿って取付面（天上面）側から正面側に誘導される。その後、煙は、鍔部にぶつかり、そのまま流れ去ることなく円滑に煙流路に流入する。さらに、本構成であれば、煙流路が、外周側（入り口側）から煙センサに近付くに従って広がっているので、煙は、何れかの方向から煙流路に一旦入りさえすれば、内部の広い空間で煙センサの外周回りに万遍なく拡散され、煙の流れ方向にあまり影響を受けることなく、適切かつ円滑に煙センサにまで到達する。これらの結果、確実に煙を感知することが可能となる。
【０００９】
つまり、本構成であれば、側面視では鍔部の突出分だけ円弧形状から若干遠ざかる外観とはなるものの、略円弧形状であるので、デザインの向上が図られ、その他の構成により、煙感知性能を向上させられる。
【００１０】
本発明に係る煙感知器の第二特徴構成は、前記前カバーの正面中央部分は、正面側へ膨出する形状であり、かつ、前記前カバーのうち最も正面側に膨出した部分は、前記傾斜部を径内方向に延長して得られる面よりも、前記凹入部の側に位置する点にある。
【００１１】
本特徴構成であると、前カバーのうち最も正面側に膨出した部分が、傾斜部を径内方向に延長して得られる面よりも、凹入部の側に位置するので、前カバーの側面視における厚みが薄くなって、ハウジングに対する存在感が小さくなると共に、傾斜部と前カバーとの連続感が演出される。よって、鍔部の突出が目立たなくなると共に、煙感知器全体としても薄型のものとなって、外観デザインが向上する。
【００１２】
本発明に係る煙感知器の第三特徴構成は、前記煙センサは、発光部と受光部とを備えた光電式のセンサであり、前記前カバーを、前記前カバーまたは前記ハウジングに備えられた支持部によって前記ハウジングの正面側に支持し、前記支持部を、正面視で、前記発光部の近傍または前記受光部の近傍に位置させてある点にある。
【００１３】
本特徴構成によると、支持部が、そもそも煙の入り口がない発光部の近傍または受光部の近傍に位置するので、煙センサへの煙の流入が阻害されにくい。
【図面の簡単な説明】
【００１４】
【図１】本発明に係る煙感知器の斜視図である。
【図２】天井面に取り付けた状態の煙感知器の側面図である。
【図３】煙感知器の正面図である。
【図４】煙感知器の背面図である。
【図５】正面側から観た煙感知器の分解斜視図である。
【図６】背面側から観た煙感知器の分解斜視図である。
【図７】図３におけるＶＩＩ−ＶＩＩ方向の断面図である。
【図８】導入凹部及び収納凹部付近の背面図である。
【図９】収納凹部の断面斜視図である。
【図１０】図８におけるＸ−Ｘ方向の断面図である。
【図１１】煙感知器の煙検知性能に関する実証データを示すグラフである。
【発明を実施するための形態】
【００１５】
以下に、本発明の実施形態を図面に基づいて説明する。
【００１６】
〔全体構成について〕
煙感知器は、煙センサ４（図５及び図６参照）、不図示のＣＯセンサ及び不図示のガスセンサを備えており、天井面Ｃに取り付けられて、煙の発生と一酸化炭素ガスの発生、及び、都市ガス等のガス漏れ、を検知可能な複合型の煙感知器である。また、煙センサ４は、正面視円形状であって、内部に発光部４２と受光部４３とを備えた光学式のセンサである。以下、天井面Ｃに煙感知器を取り付けた状態において、天井面Ｃの側となる側を「裏面」，「後」，「背面」等と称し、天井面Ｃと反対側となる側を「表面」，「前」，「正面」等と称する。天井面Ｃに取り付けられるものであるので、正面視で上下の区別は特にない。
【００１７】
煙感知器は、図１乃至図３に示すごとく、正面視で円形状であり、側面視で正面側の外形状が略円弧形状である。煙感知器は、煙センサ４、ＣＯセンサ、及び、ガスセンサが内装された「ハウジング」としてのフロントケース１を備えている。フロントケース１の背面側はリアケース２によって形成されている。フロントケース１及びリアケース２は、樹脂製であって、射出成形によって形成してある。フロントケース１及びリアケース２は、図３及び図４に示すごとく、正面視円形状である。
【００１８】
〔フロントケース及びリアケースについて〕
フロントケース１は、図５乃至図７に示すごとく、正面中央部分を背面側に凹入した凹入部１５と、凹入部１５と隣り合う正面外周部分である傾斜部１６と、を備えている。凹入部１５は、径内方向に向うに従って背面側に近付くように、背面側へ膨出する球面状に凹入してある。傾斜部１６は、径外方向に向うに従って背面側に近付くように、球面状に傾斜させてある。即ち、傾斜部１６は、正面側に膨出する球面から、背面側に膨出する球面（凹入部１５）を差し引いた形状となっている。図５及び図７に示すごとく、傾斜部１６の背面側の端部から背面側に向けて筒状に立上り部分を設けてある。この立上り部分の背面側の端部にリアケース２を嵌め込む。
【００１９】
図６及び図７に示すごとく、フロントケース１の背面側（煙感知器内部側）には、背面側へ立ち上げられた連続壁であるスピーカ収容部１１やセンサ収容部１２等を備えている。スピーカ収容部１１は、フロントケース１とリアケース２とを組付けたとき（以下、単に「組付け時」と称する）に、リアケース２の正面側（煙感知器内部側）に形成されたスピーカ収容部２８（図５参照）と協働して不図示のスピーカを収容する空間を構成する。同様に、センサ収容部１２は、フロントケース１とリアケース２とを組付けたときに、リアケース２の正面側（煙感知器内部側）に形成されたセンサ収容部２９（図５参照）と協働してＣＯセンサ及びガスセンサを収容する空間を構成する。リアケース２も、樹脂製であって、射出成形によって形成してある。
【００２０】
図５及び図７に示すごとく、リアケース２の正面側に、複数の筒状の基板取付ボス部２６を備えている。予め煙センサ４を固定した基板５を、基板取付ボス部２６の先端部に載置し、正面側からネジ等を締め込んで、基板５をリアケース２に固定する。基板取付ボス部２６の位置及び基板５の正面視形状は、基板５を固定したときに煙センサ４が正面視でリアケース２の中心部分に位置するように、設定してある。
【００２１】
図５乃至図７に示すごとく、凹入部１５の中心部分（径内側部分）には、正面視円形状である煙センサ４の円形状に対応させて円形状の開口１５ａを設けてある。また、図６に示すごとく、フロントケース１の背面側には、複数の筒状のフロントボス部１７を備えている。さらに、図５に示すごとく、リアケース２の正面側のうち組付け時にフロントボス部１７に対応する位置に、複数の筒状のリアボス部２７を備えている。
【００２２】
組付け時には、基板５を取り付けた状態のリアケース２に対して、スピーカ収容部２８にスピーカを収容し、センサ収容部２９にＣＯセンサ及びガスセンサを収容する。そして、フロントケース１とリアケース２とを位置合わせすると、図７に示すごとく、フロントボス部１７の先端面とリアボス部２７の先端面とが同位置になるので、リアケース２の側からネジ等を締め込んで、フロントケース１とリアケース２とを固結する。
【００２３】
このとき、煙センサ４が開口１５ａを貫通し、煙センサ４が正面側に露出される。詳しくは、図７に示すごとく、側面視において、煙センサ４の煙導入口４１のうち背面側の端部は、開口部１５ａと略同位置となる。また、煙センサ４の正面側の面は、「凹入部１５と傾斜部１６との境界」である境界ラインｂよりも、正面側に突出している。即ち、側面視において、少なくとも煙導入口４１の全てが開口部１５ａよりも正面側に露出し、かつ、煙導入口４１の背面側の一部が境界ラインｂよりも背面側に引退している状態となっている。なお、境界ラインｂは、フロントケース１において最も正面側に位置する環状の境界線を示すこととなる。
【００２４】
〔トップカバーについて〕
図５乃至図７に示すごとく、リアケース２が組付けられたフロントケース１に対して、正面側から、「前カバー」としてのトップカバー３を取り付ける。トップカバー３は正面視円形状に形成してある。トップカバー３の背面側に十字形状に形成された当たり部（図６参照）が、煙センサ４の正面側の面に当接して、トップカバー３は、凹入部１５に対して離間した状態で対向するように位置決めされる。
【００２５】
トップカバー３の背面側には、図６に示すごとく、周方向に沿って均等に配置された「支持部」としての支持脚３１を四箇所備えている。そして、フロントケース１のうち支持脚３１の位置に対応する位置に係止孔１８を四箇所形成してある。支持脚３１を係止孔１８に係止させることによって、トップカバー３をフロントケース１に固定する。トップカバー３は、このようにしてフロントケース１に固定され、煙センサ４を正面側から覆い込むと共に、凹入部１５と協働して煙センサ４に煙を誘導する環状の煙流路７を構成する。煙流路７は３６０°全ての方向に開放されており、煙は、煙流路７の外周の何れの方向からも、煙流路７に流入可能である。
【００２６】
トップカバー３は、図２，図３，図７に示すごとく、正面分を正面側へ球面状に膨出して形成した中央部３２と、中央部３２の外周部分を径外方向に延長して形成された鍔部３３とを備えている。中央部３２の膨出形状の曲率半径は、「傾斜部を径内方向に延長して得られる面」としての延長面ｆ（球面形状）の曲率半径よりも大きく設定してあり、かつ、トップカバー３の正面側中心部であって、「前カバーのうち最も正面側に膨出した部分」に相当する最頂部３２ａは、延長面ｆよりも凹入部１５の側に位置する。また、中央部３２の裏面は、正面形状に対応して正面側へ膨出する形状に形成してあり、外周側から煙センサ４側に向うに従ってトップカバー３の裏面と凹入部１５の表面とが離間し、煙流路７が広がる。
【００２７】
このように、煙流路７が、外周側（入り口側）から煙センサ４に近付くに従って広がっているので、煙は、何れかの方向から煙流路７に一旦入りさえすれば、図７に示すごとく、内部の広い空間で煙センサ４の外周回りに万遍なく拡散され、煙の流れ方向にあまり影響を受けることなく、適切かつ円滑に煙導入口４１にまで到達する。
【００２８】
鍔部３３は、図２，図３，図７に示すごとく、境界ラインｂよりも径外方向に幅ｗだけ突出させてある。鍔部３３の裏面は、径外方向に平行、または、傾斜部１６に沿う側へ少し傾斜させてある。また、鍔部３３と境界ラインｂとは、距離ｈだけ離間している。天井面Ｃから傾斜部１６に沿って流れてきた煙は、鍔部３３にぶつかって、そのまま流れ去ることがない。つまり、煙は鍔部３３に受け止められ、確実に煙流路７の内部に流入する。
【００２９】
鍔部３３の突出量によって外観形状に対する印象に多少の差は出るものの、中央部３２の曲率半径を延長面ｆの曲率半径よりも大きく設定し、かつ、最頂部３２ａを延長面ｆよりも凹入部１５の側に位置させることで、少なくとも、トップカバー３の側面視における厚みが薄くなると共に、傾斜部１６とトップカバー３との連続感が演出される。よって、トップカバー３の装置全体に対する存在感が小さくなり、かつ、煙感知器全体としても薄型のものとなって、外観デザインが向上する。
【００３０】
ところで、支持脚３１は、トップカバー３のうち凹入部１５の範囲内に形成してあり、トップカバー３をフロントケース１に取り付けた状態では、煙流路７の奥まった箇所に位置することとなって、外観視でほとんど目立たず、外観デザインに影響を与えない。さらに、図３に示すごとく、四箇所の支持脚３１のうち少なくとも二箇所の位置は、正面視で、煙センサ４の発光部４２の近傍と、受光部４３の近傍と、になるように設定してある。つまり、支持脚３１は、そもそも煙導入口４１が設けられない発光部４２の近傍または受光部４３の近傍に位置するので、煙センサ４への煙の流入が阻害されにくい。特に図示はしないが、残りの二箇所の支持脚３１も、煙導入口４１と煙導入口４１との間の外壁面の近傍となるように配置されている。
【００３１】
図１乃至図３に示すごとく、フロントケース１の正面側には、ライトガイド１Ａや、音響口１３、ガス流入口１４、スイッチ１Ｂ、が備えられている。ライトガイド１Ａは、傾斜部１６に設けられた環状の発光部材であり、点灯、点滅等によって、視覚的に警報を発する。音響口１３は、スピーカ収容部１１に対応する位置において、傾斜部１６からフロントケース１の外周側部に亘ってスリット状に開口され、スピーカが発した警報音を外部に開放する。ガス流入口１４は、センサ収容部１２に対応する位置において、傾斜部１６からフロントケース１の外周面に亘ってスリット状に開口され、ＣＯガス等の流入を許容する。また、傾斜部１６とフロントケース１の外周側部とに亘る位置に、押し操作可能なスイッチ１Ｂを備えてある。スイッチ１Ｂを押すと、警報状態が解除され、スピーカ音やライドガイドの発光が止まる。
【００３２】
〔天井面への取り付けについて〕
煙感知器の天井面Ｃへの取り付け方法を説明する。天井面Ｃには、図２に示すごとく、予め取付ベースＳを固定してある。リアケース２の背面からは、フック形状の端子金具ｔを突出させてある。そして、端子金具ｔを取付ベースＳのうちの不図示の差し込み孔に差し込み、回転させると、端子金具ｔがその差し込み孔に係止し、煙感知器が取付ベースＳに固定される。端子金具ｔによって、取付ベースＳから、基板５に取り付けられた各部品に対して電力が供給される。
【００３３】
〔煙感知性能の実証について〕
煙感知器の煙感知性能の実証実験を行ったので、図１１に基づいて以下に説明する。本発明の構成を採用したことにより煙性能が向上したことを確認すべく、本発明の構成を採用していない煙感知器についても対比実験を行った。この対比される煙感知器は、鍔部３３を有していない以外は、本発明に係る煙感知器と同じ構成を有する。詳細には、対比される煙感知器のトップカバー３には、図７に示す延長面ｆよりも径方向外側の部分（鍔部３３及び中央部３２の外周の一部）が備えられていない。
【００３４】
本実証実験は、一定濃度の煙を一方向から他方向に直線的に流し続けている容器に、正面側を下向きにした状態で煙感知器を投入して、煙センサ４から出力を得るものであって、以下の手順で行う。
［手順１］
実証開始後１５秒後に、煙感知器を容器に投入し、センサ出力を得る。なお、センサ出力は煙濃度と対応している。
［手順２］
６０秒経過したら、煙感知器を容器から取り出し、装置内に入った煙を完全に排出させる。
［手順３］
３０秒間経過したら、煙感知器の煙の流れる方向に対する角度を４５°回転させて、再び煙感知器を容器に投入し、センサ出力を得る。
【００３５】
上述の［手順１］から［手順３］９回繰り返して、全周方向（４５°毎に３６０°）からの煙に対する煙感知性能を確認した。図１１（ａ）が鍔部３３を備えていない煙感知器の実証データであり、図１１（ｂ）が本発明に係る煙感知器の実証データである。
【００３６】
図１１（ａ）から明らかなように、本発明の構成を有さない煙感知器では、うまく煙が流入せず、煙が感知できていない。本発明の構成を有さない煙感知器は、ほとんど煙を感知できなかったので、０°から１８０°までで実験を終了した。これに対して、図１１（ｂ）に示すごとく、本発明の構成を有する煙感知器であると、３６０°何れの方向からの煙であっても、即座かつ正確に感知していることが分かる。
【００３７】
また、特に実証データは示さないが、本発明の構成を備えた煙感知器において、鍔部３３の幅ｗ（図７参照）、及び、境界ラインｂと鍔部３３の裏面との距離ｈ（図７参照）を、各種変更して本実証実験を行った。この実証により、幅ｗは２ｍｍ以上、距離ｈは３ｍｍ以上であると、好適な煙検知が可能であることが分かった。なお、図１１（ａ）のデータは、幅ｗが２ｍｍ、距離ｈが３．８ｍｍのものを使用している。幅ｗが２ｍｍ程度であれば、鍔部３３の突出が目立たず、煙感知器の側面視円弧形状の外観を損ねることもない。
【００３８】
〔リアケースの裏面構造について〕
煙感知器は、機器単体でも使用可能であるが、接続線Ｌによって外部機器と接続して使用することも可能である。煙感知器には、基板５に接続された出力コネクタ６を配備してある（図９，図１０参照）。外部機器と接続する場合は、接続線Ｌの一方の端部を外部機器に接続し、接続線Ｌの他方の端部に取り付けた接続コネクタＬｃを出力コネクタ６に差し込む。これにより、接続線Ｌを介して、煙センサ４やＣＯセンサ等の出力を外部機器に出力することができ、他の煙感知器と連係して外部機器による集中管理や、外部機器へのセンサ出力データの書き出し等が可能である。
【００３９】
しかしながら、このような天井付けの煙感知器においては、天井面Ｃにおいて発生した結露水が接続線Ｌを伝って出力コネクタ６にまで至り、機器内部の故障が誘発される虞がある。そこで、以下の構成を採用し、結露水が出力コネクタ６にまで至ることを防止している。
【００４０】
図２，図８，図９，図１０に示すごとく、リアケース２の背面部２１のうち、出力コネクタ６に対向する部分を内部側に凹入して、有底の穴である第一凹部２２を形成してある。第一凹部２２の底部２２ａの一部を開口して開口部２２ｂを設けてある。開口部２２ｂによって、出力コネクタ６の差し込み口は底部２２ａの側に向けて露出されている。出力コネクタ６を使用しないときは、図４，図６に示すごとく、第一凹部２２をコネクタカバー２Ａによって閉塞する。
【００４１】
また、背面部２１のうち、周方向において第一凹部２２に隣接する部分を、内部側に凹入して第二凹部２３を形成してある。第二凹部２３は、周方向に長い有底の長穴である。さらに、背面部２１における第一凹部２２と第二凹部２３との間の部分を内部側に凹入して、第一凹部２２と第二凹部２３とを連通可能な連通凹部２４を形成してある。
【００４２】
図９及び図１０に示すごとく、第一凹部２２の底部２２ａと第二凹部２３の底部２３ａとは平面状に形成してある。連通凹部２４の底部２４ａは、第一凹部２２の側から第二凹部２３の側へ向うに従って正面側に傾斜する傾斜形状に形成してある。つまり、連通凹部２４の凹入深さは、少なくとも第一凹部２２の凹入深さＤ１及び第二凹部２３の凹入深さＤ２よりも浅い。
【００４３】
そして、連通凹部２４のうち第一凹部２２の側の端部において、連通凹部２４の幅に亘ると共に、底部２４ａから背面部２１の表面にまで至る壁であるノックアウト２５をリアケース２に一体的に備えている。初期状態では、ノックアウト２５が存在するので、第一凹部２２と第二凹部２３とは連通していないが、ノックアウト２５をニッパー等の治具でリアケース２から分断すると、第一凹部２２と第二凹部２３とは連通凹部２４を介して連通する。また、連通凹部２４の底部２４ａの中間箇所に、連通凹部２４の幅に亘って背面部２１の側に突出する突起部２４ｂを備えている。
【００４４】
煙感知器を外部機器と接続するときは、ノックアウト２５を分断する。そして、図１０に示すごとく、接続コネクタＬｃを出力コネクタ６に差し込む。そして、接続線Ｌの余り部分を、連通凹部２４を通して第二凹部２３に引き込み、第二凹部２３の内部にその接続線Ｌの余り部分を束ねて収納する。
【００４５】
このような構成とすることで、天井付近で発生した結露水が接続線Ｌを伝って垂れてきた場合は、結露水は、第一凹部２２には到達せず、第二凹部２３に溜まる。第二凹部２３の底部２３ａには、その外周に沿って溝２３ｂが掘り込んである。結露水は、溝２３ｂに接触すると、毛細管現象によって底部２３ａの全体に亘って拡散される。したがって、結露水の外気に対する接触面積が広くなって結露水の蒸発が促進され、結露水は短い時間で効率よく散逸する。
【００４６】
仮に、結露水の量が多く、第二凹部２３に結露水が溜まってしまったとしても、上述したように、連通凹部２４の凹入深さが少なくとも第二凹部２３の凹入深さＤ２よりも浅いので、結露水は連通凹部２４によって堰き止められ、第一凹部２２には侵入しない。そもそも、第二凹部２３は接続線Ｌの余り部分を収容できる程度に広く形成してあるので、結露水が連通凹部２４を乗り越えて第一凹部２２に侵入することはない。
【００４７】
さらに、底部２４ａに突起部２４ｂを備えているので、図１０に示すごとく、接続線Ｌは突起部２４ｂと接触しやすい。この結果、仮に、連通凹部２４に収容された接続線Ｌを伝って第二凹部２３の側から第一凹部２２の側へ結露水が移行しようとしても、その結露水は突起部２４ｂに接触して、底部２４ａのうち突起部２４ｂよりも第二凹部２３の側へ流れ落ちる。そして、底部２４ａが傾斜形状に形成されているので、この結露水は第二凹部２３に流れ、連通凹部２４と第二凹部２３との境目の溝２３ｂ部に接触して拡散される。
【００４８】
このように、結露水を煙感知器の外部に排出することなく、迅速に散逸させられる。
【００４９】
〔別実施形態〕
（１）上述の実施形態においては、傾斜面は球面形状に形成したが、これに限られず、傾斜面は、直線状の傾斜面であっても良い。
【００５０】
（２）上述の実施形態においては、外部から電力を供給する例を示したが、これに限られず、電池式の煙感知器であっても良い。
【００５１】
（３）上述の実施形態においては、各部の形状を細かく定義したが、多少は形状が異なっても構わない。
【産業上の利用可能性】
【００５２】
本発明は、天井設置用の複合型の煙感知器に限らず、壁設置用の煙感知器や、煙感知のみを行う煙感知器にも適用可能である。
【符号の説明】
【００５３】
１      フロントケース（ハウジング）
３      トップカバー（前カバー）
４      煙センサ
７      煙流路
１５    凹入部
１６    傾斜部
３１    支持脚（支持部）
３２ａ  最頂部（前カバーのうち最も正面側に膨出した部分）
３３    鍔部
４２    発光部
４３    受光部
ｂ      境界ライン（凹入部と傾斜部との境界）
ｆ      延長面（傾斜部を径内方向に延長して得られる面）
【図１】
0005810444.tif 000002
【図２】
0005810444.tif 000003
【図３】
0005810444.tif 000004
【図４】
0005810444.tif 000005
【図５】
0005810444.tif 000006
【図６】
0005810444.tif 000007
【図７】
0005810444.tif 000008
【図８】
0005810444.tif 000009
【図９】
0005810444.tif 000010
【図１０】
0005810444.tif 000011
【図１１】
0005810444.tif 000012